(57)【要約】      （修正有）【課題】従来の紙ベースの管理簿やホワイトボード等と同様の使い勝手により入退院管理を行うことが可能な入退院管理装置および入退院管理プログラムを提供する。【解決手段】複数の入院患者のそれぞれの氏名、入院日および居室に関する情報を含む患者情報を記憶する記憶手段１０と、記憶手段１０を参照して、病棟ごとに全ての居室について各居室の入院患者の氏名を表示装置２ｂの１画面内に一覧表示する表示手段１１であり、各居室の入院患者の氏名を、入院日から算出した入院日数とともに居室ごとに表示する表示手段１１と、表示手段１１により一覧表示された各居室の入院患者を一覧表示中で移動させる操作手段１２と、操作手段１２により移動させた入院患者の記憶手段１０に記憶された居室に関する情報を更新する情報更新手段１３とを含む。【選択図】図２
2013246793.tif 000002
【特許請求の範囲】
【請求項１】
複数の入院患者のそれぞれの氏名、入院日および居室に関する情報を含む患者情報を記憶する記憶手段と、
前記記憶手段を参照して、病棟ごとに全ての居室について各居室の入院患者の氏名を表示装置の１画面内に一覧表示する表示手段であり、各居室の入院患者の氏名を、前記入院日から算出した入院日数とともに居室ごとに表示する表示手段と、
前記表示手段により一覧表示された各居室の入院患者を前記一覧表示中で移動させる操作手段と、
前記操作手段により移動させた入院患者の前記記憶手段に記憶された居室に関する情報を更新する情報更新手段と
を含む入退院管理装置。
【請求項２】
前記患者情報は、各入院患者が入所していた老人福祉施設に関する情報を含むものであり、
前記表示手段は、各居室の入院患者について前記老人福祉施設に関する情報も表示するものである
請求項１記載の入退院管理装置。
【請求項３】
前記患者情報は、各入院患者が担架での移動または車椅子での移動を必要とするか否かに関する情報（以下、「移動手段情報」と称す。）を含むものであり、
前記表示手段は、各居室の入院患者について前記移動手段情報も表示するものである
請求項１または２に記載の入退院管理装置。
【請求項４】
前記患者情報は、各入院患者の担当医に関する情報を含むものであり、
前記表示手段は、各居室の入院患者について前記担当医に関する情報も表示するものである
請求項１から３のいずれかに記載の入退院管理装置。
【請求項５】
前記患者情報は、各入院患者の退院予定日、手術予定日または入院予定患者の入院予定日に関する情報を含むものであり、
前記表示手段は、各入院患者の退院予定日、手術予定日または入院予定患者の入院予定日に関する情報を前記一覧表示された各居室の入院患者とは別枠で表示するものである
請求項１から４のいずれかに記載の入退院管理装置。
【請求項６】
複数の入院患者のそれぞれの氏名、入院日および居室に関する情報を含む患者情報を記憶する記憶手段を参照して、病棟ごとに全ての居室について各居室の入院患者の氏名を表示装置の１画面内に一覧表示する表示手段であり、各居室の入院患者の氏名を、前記入院日から算出した入院日数とともに居室ごとに表示する表示手段と、
前記表示手段により一覧表示された各居室の入院患者を前記一覧表示中で移動させる操作手段と、
前記操作手段により移動させた入院患者の前記記憶手段に記憶された居室に関する情報を更新する情報更新手段と
してコンピュータを機能させるための入退院管理プログラム。
【発明の詳細な説明】
【技術分野】
【０００１】
本発明は、病院等の医療機関における入退院を管理するための入退院管理装置および入退院プログラムに関する。
【背景技術】
【０００２】
従来、病院等の医療機関における入退院管理は、紙ベースの管理簿やホワイトボード等を用いて手書きにより行われているが、近年、病院における入退院管理を行うシステムとして、例えば特許文献１に記載の空床管理改善支援システム等が開示されている。この空床管理改善支援システムは、病院の患者のデータが入力された管理コンピュータにより入院患者の在院日数をカウントして管理スタッフに通知するとともに、入院待ち患者の必要条件も管理コンピュータに逐一入力しておくことにより、それを集積、検索して、在院日数超過患者や入院待ち患者等、入床および転床の必要な患者を全病院的に正確に把握して必要な入床または転床対策を講じ易くするものである。同様に、条件を指定して検索することにより、病床管理を行うシステムが、特許文献２，３に開示されている。
【先行技術文献】
【特許文献】
【０００３】
【特許文献１】特開２００６−９２３８０号公報
【特許文献２】特開２００６−３１１３１号公報
【特許文献３】特開２００６−４８５７３号公報
【発明の概要】
【発明が解決しようとする課題】
【０００４】
ところが、上記従来の入退院管理システムでは、入床状況を確認するためにはその都度検索条件を指定して検索する必要がある。この検索のための操作は、従来の紙ベースの管理簿やホワイトボード等に慣れ親しんだ者にとっては非常に億劫である。
【０００５】
そこで、本発明においては、従来の紙ベースの管理簿やホワイトボード等と同様の使い勝手により入退院管理を行うことが可能な入退院管理装置および入退院管理プログラムを提供することを目的とする。
【課題を解決するための手段】
【０００６】
本発明の入退院管理装置は、複数の入院患者のそれぞれの氏名、入院日および居室に関する情報を含む患者情報を記憶する記憶手段と、記憶手段を参照して、病棟ごとに全ての居室について各居室の入院患者の氏名を表示装置の１画面内に一覧表示する表示手段であり、各居室の入院患者の氏名を、入院日から算出した入院日数とともに居室ごとに表示する表示手段と、表示手段により一覧表示された各居室の入院患者を一覧表示中で移動させる操作手段と、操作手段により移動させた入院患者の記憶手段に記憶された居室に関する情報を更新する情報更新手段とを含むものである。
【０００７】
本発明の入退院管理装置によれば、病棟ごとに全ての居室について、各居室の入院患者の氏名が、居室ごとに入院日数とともに表示装置の１画面内に一覧表示される。また、入院患者の居室の移動は、一覧表示された各居室の入院患者を操作手段により一覧表示中で移動させると、操作手段により移動させた入院患者の記憶手段に記憶された居室に関する情報が更新される。
【０００８】
ここで、患者情報は、各入院患者が入所していた老人福祉施設に関する情報を含むものであり、表示手段は、各居室の入院患者について老人福祉施設に関する情報も表示するものであることが望ましい。これにより、病棟ごとに全ての居室について表示装置の１画面内に一覧表示された各居室の入院患者がどの老人福祉施設からきたのかを一目で確認することができる。
【０００９】
また、患者情報は、各入院患者が担架での移動または車椅子での移動を必要とするか否かに関する情報（以下、「移動手段情報」と称す。）を含むものであり、表示手段は、各居室の入院患者について移動手段情報も表示するものであることが望ましい。これにより、病棟ごとに全ての居室について表示装置の１画面内に一覧表示された各居室の入院患者が担架または車椅子を必要としているか否かを一目で確認することができる。
【００１０】
また、患者情報は、各入院患者の担当医に関する情報を含むものであり、表示手段は、各居室の入院患者について担当医に関する情報も表示するものであることが望ましい。これにより、病棟ごとに全ての居室について表示装置の１画面内に一覧表示された各居室の入院患者の担当医を一目で確認することができる。
【００１１】
また、患者情報は、各入院患者の退院予定日、手術予定日または入院予定患者の入院予定日に関する情報を含むものであり、表示手段は、各入院患者の退院予定日、手術予定日または入院予定患者の入院予定日に関する情報を一覧表示された各居室の入院患者とは別枠で表示するものであることが望ましい。これにより、病棟ごとに全ての居室について表示装置の１画面内に一覧表示された各居室の入院患者とは別枠で、各入院患者の退院予定日、手術予定日または入院予定患者の入院予定日に関する情報が表示され、各居室の次の予定を一目で確認することができる。
【００１２】
また、本発明の入退院管理プログラムは、複数の入院患者のそれぞれの氏名、入院日および居室に関する情報を含む患者情報を記憶する記憶手段を参照して、病棟ごとに全ての居室について各居室の入院患者の氏名を表示装置の１画面内に一覧表示する表示手段であり、各居室の入院患者の氏名を、入院日から算出した入院日数とともに居室ごとに表示する表示手段と、表示手段により一覧表示された各居室の入院患者を一覧表示中で移動させる操作手段と、操作手段により移動させた入院患者の記憶手段に記憶された居室に関する情報を更新する情報更新手段としてコンピュータを機能させるためのものである。このプログラムを実行したコンピュータによれば、上記本発明の入退院管理プログラム装置と同様の作用、効果を奏することができる。
【発明の効果】
【００１３】
（１）複数の入院患者のそれぞれの氏名、入院日および居室に関する情報を含む患者情報を記憶する記憶手段と、記憶手段を参照して、病棟ごとに全ての居室について各居室の入院患者の氏名を表示装置の１画面内に一覧表示する表示手段であり、各居室の入院患者の氏名を、入院日から算出した入院日数とともに居室ごとに表示する表示手段と、表示手段により一覧表示された各居室の入院患者を一覧表示中で移動させる操作手段と、操作手段により移動させた入院患者の記憶手段に記憶された居室に関する情報を更新する情報更新手段とを含む構成により、病棟ごとに全ての居室について、各居室の入院患者の氏名が、居室ごとに入院日数とともに表示装置の１画面内に一覧表示されるので、従来ホワイトボードに手書きにより表示していたのと同様に視認性良く、入院患者がそれぞれどの居室にいるのか分かるとともに各入院患者の入院日数を一目で確認することが可能となる。また、入院患者の居室の移動は、一覧表示された各居室の入院患者を操作手段により一覧表示中で移動させるだけで良いため、手書きと同様の使い勝手により簡単に行うことが可能となる。
【００１４】
（２）患者情報が、各入院患者が入所していた老人福祉施設に関する情報を含むものであり、表示手段が、各居室の入院患者について老人福祉施設に関する情報も表示するものであることにより、病棟ごとに全ての居室について表示装置の１画面内に一覧表示された各居室の入院患者がどの老人福祉施設からきたのかを一目で確認することができ、緊急時などに入院患者が入所していた老人福祉施設にすぐに連絡を取ることが可能となる。
【００１５】
（３）患者情報が、各入院患者が担架での移動または車椅子での移動を必要とするか否かに関する情報（移動手段情報）を含むものであり、表示手段が、各居室の入院患者について移動手段情報も表示するものであることにより、病棟ごとに全ての居室について表示装置の１画面内に一覧表示された各居室の入院患者が担架または車椅子を必要としているか否かを一目で確認することができ、入院患者の移動を効率良く行うことが可能となる。
【００１６】
（４）患者情報が、各入院患者の担当医に関する情報を含むものであり、表示手段が、各居室の入院患者について担当医に関する情報も表示するものであることにより、病棟ごとに全ての居室について表示装置の１画面内に一覧表示された各居室の入院患者の担当医を一目で確認することができ、緊急時などに担当医にすぐに連絡を取ることが可能となる。
【００１７】
（５）患者情報が、各入院患者の退院予定日、手術予定日または入院予定患者の入院予定日に関する情報を含むものであり、表示手段が、各入院患者の退院予定日、手術予定日または入院予定患者の入院予定日に関する情報を一覧表示された各居室の入院患者とは別枠で表示するものであることにより、病棟ごとに全ての居室について表示装置の１画面内に一覧表示された各居室の入院患者とは別枠で、各入院患者の退院予定日、手術予定日または入院予定患者の入院予定日に関する情報が表示され、各居室の次の予定を一目で確認することができ、各居室の次の予定に対して適切に対応することが可能となる。
【図面の簡単な説明】
【００１８】
【図１】本発明の実施の形態における入退院管理装置の全体構成図である。
【図２】図１の入退院管理装置のブロック図である。
【図３】図１の入退院管理装置の表示装置への表示例を示す図である。
【発明を実施するための形態】
【００１９】
図１は本発明の実施の形態における入退院管理装置の全体構成図、図２は図１の入退院管理装置のブロック図、図３は図１の入退院管理装置の表示装置への表示例を示す図である。図１において、本発明の実施の形態における入退院管理装置１は、病院等の医療機関の受付や各病棟のナースステーション等に設置される管理端末２と、管理端末２と通信ネットワーク４により接続され、各種情報を管理する管理サーバ３とから構成される。管理端末２は、各種演算処理を行うコンピュータ本体２ａと、ディスプレイ等の表示装置２ｂと、キーボードやポインティングデバイス等の入力装置２ｃとを備えている。
【００２０】
また、図２に示すように、入退院管理装置１は、管理サーバ３上にデータベースとして構築された記憶手段１０と、管理端末２のコンピュータ本体２ａ上に構成された表示手段１１、操作手段１２および情報更新手段１３とを有する。管理端末２は、コンピュータ本体２ａによって入退院管理プログラムが実行されることにより、表示手段１１、操作手段１２および情報更新手段１３として機能する。
【００２１】
記憶手段１０には、複数の入院患者のそれぞれの氏名、入院日、居室に関する情報、各入院患者が入所していた老人福祉施設に関する情報、各入院患者が担架での移動または車椅子での移動を必要とするか否かに関する情報（移動手段情報）、各入院患者の担当医に関する情報、各入院患者の退院予定日、手術予定日または入院予定患者の入院予定日に関する情報等が記憶される。なお、居室に関する情報には、居室番号および所属する病棟に関する情報が含まれる。
【００２２】
表示手段１１は、記憶手段１０を参照して、病棟ごとに全ての居室について各居室の入院患者の氏名を表示装置２ｂの１画面内に一覧表示するものである。例えば、図３に示すように、表示手段１１は、各居室の入院患者の氏名２０を、入院日から算出した入院日数２１とともに、リカバリ室、点滴室、面会室、処置室や２０１〜３２８号室等の居室ごとに表示する。
【００２３】
また、表示手段１１は、各居室の入院患者について、担当医に関する情報２２、老人福祉施設に関する情報２３や移動手段情報２４等も表示する。本実施形態においては、担当医に関する情報２２は担当医ごとに色を変えることによって表している。老人福祉施設に関する情報２３は、施設名の略称によって表している。移動手段情報２４は、移動手段ごとに色を変えることによって表している。
【００２４】
また、表示手段１１は、同じ１画面内に一覧表示された各居室の入院患者とは別の枠３０で、各入院患者の移動手段（担送（担架での移動）、護送（車椅子での移動））ごとの合計数、男女それぞれの合計人数および総数、本日入院数、退院数や、現在の平均在院日数等を算出して表示する。さらに、表示手段１１は、各入院患者の退院予定日、手術予定日または入院予定患者の入院予定日に関する情報を一覧表示された各居室の入院患者とは別の枠３１，３２，３３で表示する。
【００２５】
操作手段１２は、入力装置２ｃの操作に基づき、表示手段１１により一覧表示された各居室の入院患者を一覧表示中で移動させるものである。例えば、入力装置２ｃにより移動させたい入院患者の氏名をドラッグ操作し、移動先の居室でドロップ操作する。情報更新手段１３は、この操作手段１２により移動させた入院患者の記憶手段１０に記憶された居室に関する情報を、移動先に更新する。
【００２６】
上記構成の入退院管理装置１によれば、病棟ごとに全ての居室について、各居室の入院患者の氏名２０が、居室ごとに入院日数２１、担当医に関する情報２２、老人福祉施設に関する情報２３や移動手段情報２４等とともに、各病棟のナースステーション等に設置された管理端末２の表示装置２ｂの１画面内に一覧表示されるので、従来ホワイトボードに手書きにより表示していたのと同様に視認性良く、入院患者がそれぞれどの居室にいるのか分かるとともに各入院患者の入院日数を一目で確認することが可能である。
【００２７】
また、この入退院管理装置１では、担当医に関する情報２２により、各居室の入院患者の担当医を一目で確認することができるため、緊急時などに担当医にすぐに連絡を取ることが可能である。また、この入退院管理装置１では、老人福祉施設に関する情報２３により、各居室の入院患者がどの老人福祉施設からきたのかを一目で確認することができ、緊急時などに入院患者が入所していた老人福祉施設にすぐに連絡を取ることが可能である。また、この入退院管理装置１では、移動手段情報２４により、各居室の入院患者が担架または車椅子を必要としているか否かを一目で確認することができ、入院患者の移動を効率良く行うことが可能である。
【００２８】
そして、この入退院管理装置１では、入院患者の居室の移動は、各病棟のナースステーション等に設置された管理端末２の表示装置２ｂの１画面内に一覧表示された各居室の入院患者を、入力装置２ｃを操作して操作手段１２により一覧表示中で移動させるだけで良いため、手書きと同様の使い勝手により簡単に行うことが可能である。また、管理端末２は、医療機関の受付にも設置されており、管理端末２によってリアルタイムに入院患者の居室が分かるため、面会の案内等もスムーズに行うことが可能である。
【００２９】
また、この入退院管理装置１では、同じ１画面内に一覧表示された各居室の入院患者とは別の枠３０で、各入院患者の移動手段（担送（担架での移動）、護送（車椅子での移動））ごとの合計数、男女それぞれの合計人数および総数、本日入院数、退院数や、現在の平均在院日数等が表示されているため、病棟ごとに担架や車椅子等の移動手段の必要数等の全体の状況を把握しやすい。
【００３０】
また、この入退院管理装置１では、病棟ごとに全ての居室について表示装置の１画面内に一覧表示された各居室の入院患者とは別枠で、各入院患者の退院予定日、手術予定日または入院予定患者の入院予定日に関する情報が表示されるので、病棟ごとに各居室の次の予定を一目で確認することができ、各居室の次の予定に対して適切に対応することが可能である。
【産業上の利用可能性】
【００３１】
本発明の入退院管理装置および入退院管理プログラムは、病院等の医療機関における入退院を管理するための装置およびプログラムとして有用である。
【符号の説明】
【００３２】
１  入退院管理装置
２  管理端末
２ａ  コンピュータ本体
２ｂ  表示装置
２ｃ  入力装置
３  管理サーバ
４  通信ネットワーク
１０  記憶手段
１１  表示手段
１２  操作手段
１３  情報更新手段
【図１】
2013246793.tif 000003
【図２】
2013246793.tif 000004
【図３】
2013246793.tif 000005